(57)【特許請求の範囲】
【請求項１】
カードエッジを有する基板を、接続しているコネクタから抜去する基板の抜去構造であって、
前記基板を筐体に固定するブラケットと、
前記ブラケットを前記筐体に固定する締結手段と、
前記締結手段によって前記ブラケットとともに前記筐体に固定される抑え部と、
前記抑え部と回転軸を共通にした略Ｌ字部品と、
を有し、
前記略Ｌ字部品は、前記抑え部によって回転させられ、その回転方向に作用する力によって前記ブラケットを押し上げることを特徴とする基板の抜去構造。
【請求項２】
前記抑え部は、前記締結手段の取り付け面とは略垂直方向に伸びた構造を有しており、前記回転軸を支点に上方向に回転すると前記略Ｌ字部品に突き当たる形状を有していることを特徴とする請求項１に記載の基板の抜去構造。
【請求項３】
前記略Ｌ字部品は、前記抑え部が突き当たる部分と前記ブラケットを押し上げる部分とを有し、前記回転軸を軸として共通に回転することを特徴とする請求項１または２に記載の基板の抜去構造。
【請求項４】
前記略Ｌ字部品は、前記抑え部が突き当たる部分と前記ブラケットを押し上げる部分とを有し、前記略Ｌ字部品と前記抑え部が前記共通の回転軸で独立に回転することを特徴とする請求項１から３のうち１項に記載の基板の抜去構造。
【請求項５】
前記締結手段は、前記抑え部に取り付けられ脱落防止機構を有することを特徴とする請求項１から４のうち１項に記載の基板の抜去構造。
【発明の詳細な説明】
【技術分野】
【０００１】
本発明は、基板の抜去構造に関し、特に、ＰＣＩ（Ｐｅｒｉｐｈｅｒａｌ  Ｃｏｍｐｏｎｅｎｔ  Ｉｎｔｅｒｃｏｎｎｅｃｔ）カードの抜去構造に関する。
【背景技術】
【０００２】
近年、電子機器に実装されるＰＣＩカードは、高密度に部品実装される場合が多くなっている。このＰＣＩカードを交換する場合は、すでに実装されているＰＣＩカードを抜いて必要なＰＣＩカードを挿入する。この時、すでに実装されているＰＣＩカードに部品が高密度に実装されていると、抜去時にＰＣＩカードを摘むことが難しい。また無理に摘もうとして部品を破損する場合もある。
【０００３】
図５は、関連するＰＣＩカードの基板の抜去構造を示す図である。図５において、ＰＣＩカード１０３は、マザーボード１０４のコネクタ１０９に垂直に立てて接続されている。また、ＰＣＩカード１０３は、ブラケット１０５とネジ１１０で接続され、ブラケット１０５は、電子機器の筐体１０８にネジ１０６で固定されている。ブラケット１０５からは、電子機器のインタフェース用端子（図示せず）等が、電子機器の筐体１０８から外向きに設置されている。ここで、ブラケット１０５は、電子機器の筐体１０８にネジ１０６で隙間なく固定されていて、ネジ１０６を外しても、ブラケット１０５を摘むスペースがない。
【０００４】
このような課題に対して、ＰＣＩカードを抜去する技術が開発されている。
【０００５】
例えば、特許文献１には、テコの原理を用いて容易にかつ確実にＰＣＩカードの搭載／抜去を行うために、支点の位置をＰＣＩカードから離して、ＰＣＩカードを垂直に上下動可能にする機構の技術が開示されている。
【０００６】
また、特許文献２には、ＰＣＩカード等の回路基板カードを、情報処理装置の前面あるいは背面からスムースに挿抜することが可能な回路基板実装構造の技術が開示されている。
すなわち、装置への回路基板の着脱方向とは異なる方向に回路基板のインタフェース部を装置のコネクタ部に挿抜可能な回路基板実装構造であって、操作者からの力を受けて回動する操作部と、操作部が回動する向きとは逆の向きに回動可能に回路基板に固定され、操作部が受けた力を着脱方向とは異なる方向への力に変換して回路基板をその方向に動かすプレート部と、操作部とプレート部とを連結し、操作部が受けた力をプレート部に伝えるリンク部と、回路基板が遊びを有した状態で、回路基板と操作部とを締め付ける締付具と、を備えたものである。
【先行技術文献】
【特許文献】
【０００７】
【特許文献１】特開２０１１−１００８０３号公報
【特許文献２】特開２０１１−２４８５６０号公報
【発明の概要】
【発明が解決しようとする課題】
【０００８】
特許文献１に記載の技術では、テコの原理を用いてＰＣＩカードの搭載／抜去を行うために、支点の位置をＰＣＩカードから離して配置する機構である。そのため、抜去構造のサイズが基板の幅と同程度に大きくなるという課題があった。
【０００９】
特許文献２に記載の技術では、ＰＣＩカード等の回路基板カードを、情報処理装置の前面あるいは背面からスムースに挿抜する構造のため、構造が複雑になるという課題があった。
【００１０】
本発明の目的は、上述した課題を解決し、簡単でコンパクトな構造で、基板の抜去作業を容易にすることである。
【課題を解決するための手段】
【００１１】
本発明は、上記課題を解決するために、カードエッジを有する基板を、接続しているコネクタから抜去する基板の抜去構造であって、基板を筐体に固定するブラケットと、ブラケットを筐体に固定する締結手段と、締結手段によってブラケットとともに筐体に固定される抑え部と、抑え部と回転軸を共通にした略Ｌ字部品とを有し、略Ｌ字部品は、抑え部によって回転させられ、その回転方向に作用する力によってブラケットを押し上げることを特徴としている。
【発明の効果】
【００１２】
本発明によれば、簡単な構造で、基板の抜去作業を容易に行うことができる。
【図面の簡単な説明】
【００１３】
【図１】本発明の第１の実施形態における基板の抜去構造を示す図である。
【図２】本発明の第１の実施形態における基板の抜去構造の詳細を示す図である。
【図３】本発明の第１の実施形態における基板の抜去構造の詳細を示す図である。
【図４】本発明の第２の実施形態における基板の抜去構造を示す図である。
【図５】本発明の関連技術における基板の抜去構造を示す図である。
【発明を実施するための形態】
【００１４】
以下、本発明の実施形態について図面を参照して詳細に説明する。
【００１５】
（第１の実施形態）
図１は、本発明の第１の実施形態における基板の抜去構造を示す図である。図１を用いて、本実施形態における基板の抜去構造について説明する。
【００１６】
図１において、基板であるＰＣＩカード３は、カードエッジ１１を有しており、マザーボード４のコネクタ９に垂直に立てて接続されている。コネクタ９は、基板のエッジ端子を差し込む構造のコネクタである。
【００１７】
ＰＣＩカード３は、ブラケット５と締結手段であるネジ１０で接続され、ブラケット５は、電子機器の筐体８にネジ６で固定されている。ブラケット５からは、電子機器のインタフェース用端子（図示せず）等が、電子機器の筐体８から外向きに設置されている。ブラケット５と電子機器の筐体８は、抑え部としてストッパー２を上部に載せてネジ６で共に固定されている。また、ストッパー２は、回転軸７を共通の軸として、レバー１と接続されている。また、ネジの代わりにボルトとナットあるいは、プッシュリベットなどの締結手段を用いてもよい。
【００１８】
図２および図３は、本発明の第１の実施形態における基板の抜去構造の詳細を示す図である。図２および図３を用いて、本実施形態における基板の抜去構造の詳細について説明する。図１と同じ部品は、同じ番号を付している。
【００１９】
ストッパー２の端部は、回転軸７を中心に通す円筒形状に巻かれた箇所の回転部２６を備えている。またストッパー２のブラケット５に接する面にはネジ６を通すための穴２５を開けてある。
【００２０】
レバー１は、略Ｌ字形状であり、Ｌ字の角の部分には回転軸７を中心に通す円筒形状の部分の回転部１５を備えている。円筒形状の回転部１５は軸方向に２分割されており、そこにストッパー２の円筒形状に巻かれた箇所のストッパー回転部２６が嵌る。レバー１とストッパー２は回転軸７を共通の軸として独立に回転可能となっている。また回転軸７の両端部は曲がっていて筐体８に接続されている。
【００２１】
ストッパー２は、ブラケット５を上から押さえていて、ネジ６を外すと、ストッパー２は、回転軸７を支点にレバー１とは独立に上方向に回転することができる。ストッパー２は、ネジ６を取り付ける面とは略垂直方向に曲げられた面である突き当て面２７を有しており、回転軸７を支点に上方向に回転するとレバー１に突き当たる形状を有している。
【００２２】
図３を用いて、本実施形態における基板の抜去構造の動作について説明する。
【００２３】
ネジ６を外し、ストッパー２を持ち上げると、ストッパー２は、回転軸７を支点にレバー１の方向に回転する。そして、ストッパー２の突き当て面２７の角が、レバー１に突き当たるとレバー１が回転軸７を軸として回転し、Ｌ字形状のレバー１の片側の押し上げ部１６が、ブラケット５のレバー受け部５１を下から押し上げる。
【００２４】
レバー１により、ブラケット５は、電子機器の筐体８を離れて持ち上げられ、隙間ができる。これによりブラケット５を摘むことができるので、ＰＣＩカード３を容易に引き上げることが可能となる。
【００２５】
以上により、簡単でコンパクトな構造で、ブラケット押さえの解除に連動して、ＰＣＩカード３の基板の抜去作業を容易に行うことができる。特許文献１、２の抜去構造が基板の幅と同程度の長さであるのに対して、本実施形態の抜去構造はブラケット５のレバー受け部５１の周囲だけで収まり、非常にコンパクトである。
【００２６】
（第２の実施形態）
図４は、本発明の第２の実施形態における基板の抜去構造の詳細を示す図である。図４を用いて、本実施形態における基板の抜去構造の詳細について説明する。図１と同じ部品は、同じ番号を付して説明を省略する。図４において、図１のネジ６の代わりに抜け止めネジ２０を用い、ストッパー２の代わりにストッパー２２を用いている。
【００２７】
抜け止めネジ２０は、外側の筒部がストッパー２２に固着されていて、筒部の中のネジ部２１は、ブラケット５から外れても筒部からは外れない構造になっている。
【００２８】
したがって、抜け止めネジ２０のネジ部２１を外し、ストッパー２２を持ち上げると、ストッパー２２は、回転軸７を支点にレバー１の方向に回転する。そして、ストッパー２２が、レバー１に突き当たるとレバー１が回転軸７を軸として回転し、レバー１の片側がブラケット５を下から押し上げる。
【００２９】
レバー１により、ブラケット５は、電子機器の筐体８を離れて持ち上げられ、隙間ができる。これによりブラケット５をつまむことができるので、ＰＣＩカード３を引き上げることが可能となる。
【００３０】
以上により、簡単な構造で、ブラケット押さえの解除に連動して、ＰＣＩカード３の基板の抜去作業を容易に行うことができ、運用中にＰＣＩカード３の基板の抜去作業を行う場合であっても、通電部にネジを落とす可能性をなくすことができる。
【００３１】
以上、述べてきたように、本実施形態によれば、簡単な構造で、ブラケット押さえの解除に連動して、ＰＣＩカードの基板の抜去作業を容易に行うことが可能である。
【００３２】
尚、本願発明は、上述の実施形態に限定されるものではなく、本願発明の要旨を逸脱しない範囲で種々変更、変形して実施することが出来る。例えば、本発明はＰＣＩカードに限らず、他の種類の基板に対しても適用できる。
【産業上の利用可能性】
【００３３】
本発明は、カードエッジ用のコネクタに接続された基板の抜去構造に利用可能である。
【符号の説明】
【００３４】
１    レバー
２    ストッパー
３    ＰＣＩカード
４    マザーボード
５    ブラケット
６    ネジ
７    回転軸
８    電子機器の筐体
９    コネクタ
１０    ネジ
１１    カードエッジ
１５    回転部
１６    押し上げ部
２０    抜け止めネジ
２１    ネジ部
２２    ストッパー
２５    穴
２６    ストッパー回転部
２７    突き当て面
１０３    ＰＣＩカード
１０４    マザーボード
１０５    ブラケット
１０６    ネジ
１０８    電子機器の筐体
１０９    コネクタ
１１０    ネジ
【図１】
0006352802.tif 000002
【図２】
0006352802.tif 000003
【図３】
0006352802.tif 000004
【図４】
0006352802.tif 000005
【図５】
0006352802.tif 000006